(57)【要約】  受信感度の調整を簡易に行うことができる携帯端末を提供すること。  外観を形成する第１のケース部材３０を有する操作部側筐体部２と、表示部側筐体部３と、操作部側筐体部２と表示部側筐体部３のいずれか一方に配置され、グランド部３１、給電部３２、及び該給電部３２に接続された信号処理部３６を有する回路部３３と、操作部側筐体部２に配置され、グランド部３１に電気的に接続された第１の導電部３４と、表示部側筐体部３に配置され、給電部３２に電気的に接続された第２の導電部３５と、を有する。第１の導電部３４は、第１のケース部材３０に形成される。
2010061642.tif 000002
【特許請求の範囲】
【請求項１】
外観を形成する第１のケース部材を有する第１の筐体と、
第２の筐体と、
前記第１の筐体又は前記第２の筐体のいずれか一方に配置され、グランド部、給電部、及び該給電部に接続された信号処理部を有する回路部と、
前記第１のケース部材に形成され、前記グランド部に電気的に接続された第１の導電部と、
前記第２の筐体に配置され、前記給電部に電気的に接続された第２の導電部と、を有することを特徴とする携帯端末。
【請求項２】
前記第１のケース部材は、前記第１の筐体に対して相対移動可能に前記第１の筐体に連結される、ことを特徴とする請求項１に記載の携帯端末。
【請求項３】
前記第１のケース部材は、金属で形成される、ことを特徴とする請求項１に記載の携帯端末。
【請求項４】
前記第１のケース部材は、化粧ケースである、ことを特徴とする請求項１に記載の携帯端末。
【請求項５】
第１の筐体と、
外観を形成する第２のケース部材を有する第２の筐体と、
前記第１の筐体又は前記第２の筐体のいずれか一方に配置され、グランド部、給電部、及び該給電部に接続された信号処理部を有する回路部と、
前記第１の筐体に配置され、前記グランド部に電気的に接続された第１の導電部と、
前記第２のケース部材に形成され、前記給電部に電気的に接続された第２の導電部と、を有することを特徴とする携帯端末。
【請求項６】
前記第２のケース部材は、前記第２の筐体に対して相対移動可能に前記第２の筐体に連結される、ことを特徴とする請求項５に記載の携帯端末。
【請求項７】
前記第２のケース部材は、金属で形成される、ことを特徴とする請求項５に記載の携帯端末。
【請求項８】
前記第２のケース部材は、化粧ケースである、ことを特徴とする請求項５に記載の携帯端末。
【請求項９】
操作部が設けられた操作面を有する第１の筐体と、
表示部が設けられた表示面を有する第２の筐体と、
前記第１の筐体又は前記第２の筐体のいずれか一方に配置され、グランド部、給電部、及び該給電部に接続された信号処理部を有する回路部と、
前記第１の筐体における前記操作面側に配置され、前記グランド部と前記給電部のいずれか一方に電気的に接続された第１の導電部と、
前記第２の筐体における前記表示面と反対の面側に配置され、前記グランド部と前記給電部のいずれか他方に電気的に接続された第２の導電部と、を有することを特徴とする携帯端末。
【請求項１０】
前記第２の筐体は、前記表示面と反対の面側に配置され外観を形成する第２のケース部材を備え、
前記第２の導電部は、前記第２のケース部材に配置される請求項９に記載の携帯端末。
【発明の詳細な説明】
【技術分野】
【０００１】
本発明は、第１の筐体と第２の筐体を有する携帯端末に関する。
【背景技術】
【０００２】
携帯端末には、第１の筐体と第２の筐体とから構成され、使用態様に応じてヒンジ部を介して開状態と閉状態とに移行可能に構成される折り畳み型のものがある。このような折り畳み型の携帯端末では、アンテナを介して外部と通信を行う通信機能を有している。ここで、携帯端末のアンテナは、通信を行う際に、ユーザによって使用されたときに、その使用状態によっては人体の影響により利得が下がり、高い通信品質を担保することができなくなる。【０００３】
そこで、第１の筐体に配置された第１の導電部と第２の筐体に配置された第２の導電部のいずれか一方を給電し、いずれか他方をグランド（接地状態）にすることにより、使用状態に左右されずに高い通信品質を担保する技術が提案されている。例えば、特許文献１によれば、第１の導電部と第２の導電部のいずれか一方をアンテナとして利用することにより、ロッドタイプのアンテナに比して面積が広いため、ユーザの手によって一部が覆われたとしてもアンテナの利得の低減を抑えることができる技術が開示されている。
【特許文献１】特開２００２−３３５１８０号公報
【発明の開示】
【発明が解決しようとする課題】
【０００４】
ところで、特許文献１では、第１の筐体又は第２の筐体に配置された第１の導電部又は第２の導電部をアンテナとして利用するため、第１の筐体又は第２の筐体の構造の複雑化を招くおそれがあった。【０００５】
本発明は、上述のような課題に鑑みてなされたものであり、その目的の一つは、第１の導電部又は第２の導電部をアンテナに利用しつつ、第１の筐体又は第２の筐体の構造の複雑化を低減することのできる携帯端末を提供することにある。
【課題を解決するための手段】
【０００６】
本発明に係る携帯端末は、上記課題を解決するために、外観を形成する第１のケース部材を有する第１の筐体と、第２の筐体と、前記第１の筐体と前記第２の筐体のいずれか一方に配置され、グランド部、給電部、及び該給電部に接続された信号処理部を有する回路部と、前記第１のケース部材に形成され、前記グランド部に電気的に接続された第１の導電部と、前記第２の筐体に配置され、前記給電部に電気的に接続された第２の導電部と、を有することを特徴とする。【０００７】
また、上記携帯端末では、前記第１のケース部材は、前記第１の筐体に対して相対移動可能に前記第１の筐体に連結されることが好ましい。【０００８】
また、上記携帯端末では、前記第１のケース部材は、金属で形成されることが好ましい。【０００９】
また、上記携帯端末では、前記第１のケース部材は、化粧ケースであることが好ましい。【００１０】
本発明に係る携帯端末は、上記課題を解決するために、第１の筐体と、外観を形成する第２のケース部材を有する第２の筐体と、前記第１の筐体と前記第２の筐体のいずれか一方に配置され、グランド部、給電部、及び該給電部に接続された信号処理部を有する回路部と、前記第１の筐体に配置され、前記グランド部に電気的に接続された第１の導電部と、前記第２のケース部材に形成され、前記給電部に電気的に接続された第２の導電部と、を有することを特徴とする。【００１１】
また、上記携帯端末では、前記第２のケース部材は、前記第２の筐体に対して相対移動可能に前記第２の筐体に連結されることが好ましい。【００１２】
また、上記携帯端末では、前記第２のケース部材は、金属で形成されることが好ましい。【００１３】
また、上記携帯端末では、前記第２のケース部材は、化粧ケースであることが好ましい。【００１４】
本発明に係る携帯端末は、上記課題を解決するために、操作部が設けられた操作面を有する第１の筐体と、表示部が設けられた表示面を有する第２の筐体と、前記第１の筐体又は前記第２の筐体のいずれか一方に配置され、グランド部、給電部、及び該給電部に接続された信号処理部を有する回路部と、前記第１の筐体における前記操作面側に配置され、前記グランド部と前記給電部のいずれか一方に電気的に接続された第１の導電部と、前記第２の筐体における前記表示面と反対の面側に配置され、前記グランド部と前記給電部のいずれか他方に電気的に接続された第２の導電部と、を有することを特徴とする。【００１５】
また、上記携帯端末では、前記第２の筐体は、前記表示面と反対の面側に配置され外観を形成する第２のケース部材を備え、前記第２の導電部は、前記第２のケース部材に配置されることが好ましい。
【発明の効果】
【００１６】
本発明によれば、第１の筐体又は第２の筐体の構造の複雑化を低減することができる。
【図面の簡単な説明】
【００１７】
【図１】本実施形態に係る携帯電話装置の外観を示す図である。
【図２】本実施形態に係る携帯電話装置における操作部側筐体部の分解斜視図である。
【図３】本実施形態に係る携帯電話装置における表示部側筐体部の分解斜視図である。
【図４】本実施形態に係る携帯電話装置の第１の構成を模式的に示す図である。
【図５】本実施形態に係る携帯電話装置の第２の構成を模式的に示す図である。
【図６】第１のケース部材が操作部側筐体部に連結されている様子を模式的に示す図である。
【図７】第１のケース部材のバリエーションを模式的に示す図である。
【図８】本実施形態に係る携帯電話装置の第３の構成を模式的に示す図である。
【図９】第２のケース部材が表示部側筐体部に連結されている様子を模式的に示す図である。
【図１０】第２のケース部材のバリエーションを模式的に示す図である。
【図１１】本実施形態に係る携帯電話装置の第４の構成を模式的に示す図である。
【図１２】本実施形態に係る携帯電話装置の第５の構成を模式的に示す図である。
【図１３】本実施形態に係る携帯電話装置の第６の構成を模式的に示す図である。
【図１４】本実施形態に係る携帯電話装置の第７の構成を模式的に示す図である。
【符号の説明】
【００１８】
１  携帯電話装置
２  操作部側筐体部（第１の筐体）
３  表示部側筐体部（第２の筐体）
１１  操作部
１６  操作面
１７  表示面
２１  ディスプレイ（表示部）
３０  第１のケース部材
３１  グランド部
３２  給電部
３３  回路部
３４  第１の導電部
３５  第２の導電部
３６  信号処理部
４３  第２のケース部材
【発明を実施するための形態】
【００１９】
以下、本発明の実施の形態について説明する。図１は、本発明に係る携帯端末の一例である携帯電話装置１の外観斜視図を示す。なお、以下では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
図１に示すように、携帯電話装置１は、操作部側筐体部２と、表示部側筐体部３と、を備える。操作部側筐体部２（第１の筐体）と表示部側筐体部３（第２の筐体）とは、ヒンジ機構を備える連結部４を介して開閉可能に連結される。具体的には、操作部側筐体部２の上端部と表示部側筐体部３の下端部とは、連結部４を介して連結される。これにより、携帯電話装置１は、ヒンジ機構を介して連結された操作部側筐体部２と表示部側筐体部３とを相対的に動かすことが可能に構成される。つまり、携帯電話装置１は、操作部側筐体部２と表示部側筐体部３とが開いた状態（開状態）と、操作部側筐体部２と表示部側筐体部３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体部２は、外面がフロントケース２ａとリアケース２ｂとにより構成される。操作部側筐体部２は、フロントケース２ａ側の外面である操作面１６に、操作部１１と、携帯電話装置１の使用者が通話時に発した音声が入力されるマイクとしての音声入力部１２とがそれぞれ露出するように構成される。
【００２２】
操作部１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作部１１を構成する各キーそれぞれには、操作部側筐体部２と表示部側筐体部３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２３】
音声入力部１２は、操作部側筐体部２の長手方向における連結部４側と反対の端部側に配置される。つまり、音声入力部１２は、携帯電話装置１が開状態において一方の端部側に配置される。
【００２４】
操作部側筐体部２における一方側の側面には、外部機器（例えば、ホスト装置）と通信を行うためのインターフェース（図示せず）が配置される。操作部側筐体部２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
この操作部側筐体部２のリアケース２ｂの外面には、第１のケース部材３０が配置される（図２参照）。
【００２５】
表示部側筐体部３は、外面がフロントパネル３ａと、フロントケース３ｂと、リアケース３ｃと、リアパネル３ｄとにより構成される（図３参照）。  表示部側筐体部３は、フロントパネル３ａ側の外面である表示面１７に、各種情報を表示するための表示部としてのディスプレイ２１と、通話の相手側の音声を出力するレシーバとしての音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、が外部に露出するように配置される。
ディスプレイ２１は、液晶パネルと、この液晶パネルを駆動する駆動回路と、この液晶パネルの背面側から光を照射するバックライト等の光源部とから構成される。
表示部側筐体部３において表示面１７と反対側の外面を構成するリアパネル３ｄの外面１８には、第２のケース部材４３が配置される（図３参照）。
【００２６】
図２は、操作部側筐体部２の分解斜視図である。図２に示すように、操作部側筐体部２は、フロントケース２ａと、キー構造部４０と、キー基板５０と、シールドケース６０と、回路基板７０と、バッテリリッド２ｃを備えたリアケース２ｂと、第１のケース部材３０と、バッテリ８１とを備える。
【００２７】
フロントケース２ａとリアケース２ｂとは、互いの凹状の内側面が向き合うように配置され、互いの外周縁が重なり合うようにして結合される。また、リアケース２ｂの外面には、第１のケース部材３０が連結されている。この第１のケース部材３０は、リアケース２ｂに対して相対移動可能に連結される（図６参照）。また、フロントケース２ａとリアケース２ｂとの間には、キー構造部４０と、ＦＰＣ部９０を有するキー基板５０と、シールドケース６０と、回路基板７０とが挟まれるようにして内蔵される。
【００２８】
フロントケース２ａには、携帯電話装置１を折り畳んだ状態で表示部側筐体部３のディスプレイ２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２９】
キー構造部４０は、操作部材４０Ａと、補強部材としてのキーフレーム４０Ｂと、シート部材としてのキーシート４０Ｃと、により構成される。
【００３０】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３１】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３２】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３３】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。このキー基板５０は、基板としてのＦＰＣ部９０を介して回路基板７０と電気的に接続される。
【００３４】
シールドケース６０は、平面視矩形で、回路基板７０側の面が開放された薄型の箱状である。このシールドケース６０は、平板部６１と、この平板部６１の周縁部から略垂直に突出するリブ部６２と、を備える。シールドケース６０は、リブ部６２が回路基板７０に形成された基準電位パターン層７５に当接するように配置される。シールドケース６０は、金属材料により形成されており、導電性を有する。
【００３５】
回路基板７０は、一方の面７０ａに形成された基準電位パターン層７５（第１の導電部）を有する。また、この回路基板７０には、携帯電話装置用のＲＦモジュール等の各種電子部品（図示せず）や高周波信号の処理を行うＲＦ回路部３３（回路部）が実装されている。
【００３６】
図３は、表示部側筐体部３の分解斜視図である。図３に示すように、表示部側筐体部３は、フロントパネル３ａと、フロントケース３ｂと、ディスプレイ２１と、ディスプレイ２１が接続された回路基板８０と、リアケース３ｃと、リアパネル３ｄとを備える。また、リアパネル３ｄの外面１８には、第２のケース部材４３が連結されている。この第２のケース部材４３は、リアパネル３ｄに対して相対移動可能に連結される（図９参照）。また、表示部側筐体部３においては、フロントパネル３ａと、フロントケース３ｂと、ディスプレイ２１と、回路基板８０と、リアケース３ｃと、リアパネル３ｄと、第２のケース部材４３とが積層的に配置される。
【００３７】
図３に示すように、フロントケース３ｂとリアケース３ｃとは、互いの凹状の内側面が向き合うように配置され、互いの外周縁が重なり合うようにして結合される。また、フロントケース３ｂとリアケース３ｃとの間には、ディスプレイ２１と、回路基板８０とが挟まれるようにして内蔵される。また、回路基板８０には、基準電位パターン層（第２の導電部）が形成されている。
【００３８】
また、携帯電話装置１では、操作部側筐体部２と表示部側筐体部３との間において、図示しないフレキシブルプリント基板（Ｆｌｅｘｉｂｌｅ  Ｐｒｉｎｔｅｄ  Ｃｉｒｃｕｉｔｓ：以下ＦＰＣと称す）により、表示部側筐体部３の内部に配設されている回路基板８０と、操作部側筐体部２の内部に配設されている回路基板７０とが電気的に接続されている。
【００３９】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００４０】
本発明に係る携帯電話装置１は、操作部側筐体部２に係る構成及び表示部側筐体部３に係る構成のいずれか一方側をアンテナの放射素子とし、他方側をアンテナのグランド部として、筐体全体によって１個のアンテナ（ダイポールアンテナ）を構成しており、受信感度の調整を簡易に行うことができる機能を有している。
【００４１】
ここで、当該機能を発揮するための構成について、図４乃至図１４に示す模式図を用いて説明する。なお、以下では、操作部側筐体部２に係る構成及び表示部側筐体部３に係る構成によって構成されるアンテナは、例えば、地上波デジタル放送を受信するものと想定して説明するが、これに限られず、ＣＤＭＡ（Ｃｏｄｅ  Ｄｉｖｉｓｉｏｎ  Ｍｕｌｔｉｐｌｅ  Ａｃｃｅｓｓ）通信に利用されるメインアンテナとして利用されても良い。
【００４２】
＜第１の実施例＞
携帯電話装置１は、図４に示すように、操作部側筐体部２と、表示部側筐体部３と、回路部３３と、第１の導電部３４と、第２の導電部３５と、を有する。操作部側筐体部２は、外観を形成する第１のケース部材３０を有する。なお、第２の導電部３５は、例えば、図示しない回路基板のグランドパターン、シールドケース、表示部側筐体部３を形成する導電部材等により構成される。
【００４３】
回路部３３は、操作部側筐体部２と表示部側筐体部３のいずれか一方に配置され、グランド部３１と給電部３２と、信号処理部３６とを有する。信号処理部３６は、アンテナ特性に影響がないように、グランド部３１と同電位に構成しておく。第１の導電部３４は、第１のケース部材３０に形成されており、グランド部３１に電気的に接続されている。第２の導電部３５は、表示部側筐体部３に配置され、給電部３２に電気的に接続されている。また、給電部３２に供給された信号は、ＲＦ回路を含んで構成されている信号処理部３６に供給されて所定の処理が実行される。また、第１のケース部材３０は、全体が第１の導電部３４により形成されていても良いし、一部が第１の導電部３４により形成されていても良い。
【００４４】
このような構成によれば、表示部側筐体部３は第２の導電部３５を介して給電部３２に電気的に接続されているためアンテナの放射素子としての機能を発揮する。また、第１のケース部材３０は、第１の導電部３４を介してグランド部３１に接続されているためアンテナのグランド部としての機能を発揮する。
【００４５】
したがって、携帯電話装置１は、操作部側筐体部２の外観を形成する第１のケース部材３０をアンテナのグランド部として利用することができるので、筐体ダイポールアンテナを構成する場合における筐体内部構造の複雑化を招かず、単純化することができる。また、携帯電話装置１は、操作部側筐体部２の外観を形成する第１のケース部材３０をアンテナのグランド部として利用するので、操作部側筐体部２の内部にアンテナのグランド部が配置される揚合に比べて、アンテナ特性の向上を図ることができる。
【００４６】
なお、上述では、回路部３３にグランド部３１が設けられ、第１の導電部３４はグランド部３１に電気的に接続されものとして説明したが、これに限られない。グランド部３１と第１の導電部３４とが同電位であれば良く、第１の導電部３４は、直接的にグランド部３１に接続されていなくても良い。
【００４７】
また、第１のケース部材３０をアンテナの放射素子とし、操作部側筐体部２又は表示部側筐体部３をアンテナのグランド部にして構成されても良い。このように構成される場合には、図５に示すように、第１の導電部３４は、第１のケース部材３０に形成され、かつ給電部３２を介して信号処理部３６に電気的に接続され、また、第２の導電部３５は、表示部側筐体部３に配置され、かつグランド部３１に電気的に接続される。
【００４８】
また、携帯電話装置１では、第１のケース部材３０は、操作部側筐体部２に対して相対移動可能に操作部側筐体部２に連結される構成であることが好ましい。具体的には、第１のケース部材３０は、図６に示すように、操作部側筐体部２のリアケース２ｂ（操作部１１が配置されていない面）の充電池を収納するバッテリリッド２ｃの上面であって、一方端側が操作部側筐体部２に相対移動が可能に連結されている。また、操作部側筐体部２と第１のケース部材３０とを連結する連結部材は、角度調整が可能な機構によって構成されている。したがって、第１のケース部材３０は、操作部側筐体部２の平面を基準として、所定の角度に調整することができる。
【００４９】
したがって、携帯電話装置１は、第１のケース部材３０を操作部側筐体部２に対して相対移動させることにより、外部に取り付けられたロッドアンテナのように、アンテナ特性の調整が可能となり、第１のケース部材３０の更なる有効活用を図ることができる。また、携帯電話装置１は、第１のケース部材３０が操作部側筐体部２を支持する支持部材としても機能させることができるので、例えば、机等の上に安定的に載置することができる。
【００５０】
また、携帯電話装置１では、第１のケース部材３０は、金属で形成されることが好ましい。こうすることにより、携帯電話装置１は、第１のケース部材３０が金属で形成されることにより、操作部側筐体部２の強度の向上も併せて図ることができる。
【００５１】
また、携帯電話装置１では、第１のケース部材３０は、化粧ケースであることが好ましい。第１のケース部材３０は、例えば、図７に示すように、意匠の異なるケース部材３０ａや、ケース部材３０ｂや、ケース部材３０ｃ等がある。したがって、ユーザは、好みや使用の用途に応じて第１のケース部材３０を適宜交換することができる。
【００５２】
このように構成されることにより、携帯電話装置１は、デザイン性の向上を目的として着脱可能に構成される化粧ケースが第１の導電部３４として利用されるため、第１のケース部材３０の有効活用を図ることができる。
【００５３】
また、携帯電話装置１では、操作部側筐体部２と表示部側筐体部３とは、ヒンジ機構４を介して細線同軸ケーブルやフレキシブルケーブル等によって電気的な導通が図られている。したがって、回路部３３が表示部側筐体部３に配置されている場合には、当該細線同軸ケーブルやフレキシブルケーブル等を利用して操作部側筐体部２に対して電気的な接続が図られる。
【００５４】
＜第２の実施例＞
つぎに、第２の実施例について説明する。第１の実施例では、第１のケース部材３０が操作部側筐体部２に形成されている場合について説明したが、第２の実施例では、第１のケース部材３０とその用途、機能及び形態において共通する第２のケース部材４３が表示部側筐体部３に形成されている場合について説明する。
【００５５】
携帯電話装置１は、図８に示すように、操作部側筐体部２と、表示部側筐体部３と、回路部３３と、第１の導電部３４と、第２の導電部３５と、を有する。なお、第１の導電部３４は、例えば、図示しない回路基板のグランドパターン、シールドケース、操作部側筐体部２を形成する導電部材等により構成される。
【００５６】
表示部側筐体部３は、外観を形成する第２のケース部材４３を有する。回路部３３は、操作部側筐体部２と表示部側筐体部３のいずれか一方に配置され、グランド部３１と給電部３２と、信号処理部３６とを有する。信号処理部３６は、アンテナ特性に影響がないように、グランド部３１と同電位に構成しておく。第１の導電部３４は、操作部側筐体部２に配置され、グランド部３１に電気的に接続されている。第２の導電部３５は、表示部側筐体部３に配置され、給電部３２に電気的に接続されており、第２のケース部材４３に形成される。また、給電部３２に供給された信号は、ＲＦ回路を含んで構成されている信号処理部３６に供給されて所定の処理が実行される。また、第２のケース部材４３は、全体が第２の導電部３５により形成されていても良いし、一部が第２の導電部３５により形成されていても良い。
【００５７】
このような構成によれば、第２のケース部材４３は、第２の導電部３５を介して給電部３２に電気的に接続されているためアンテナの放射素子としての機能を発揮する。また、操作部側筐体部２は、第１の導電部３４を介してグランド部３１に接続されているためアンテナのグランド部としての機能を発揮する。
【００５８】
したがって、携帯電話装置１は、表示部側筐体部３の外観を形成する第２のケース部材４３をアンテナの放射素子として利用することができるので、筐体ダイポールアンテナを構成する場合における筐体内部構造の複雑化を招かず、単純化することができる。また、携帯電話装置１は、表示部側筐体部３の外観を形成する第２のケース部材４３をアンテナの放射素子として利用するので、表示部側筐体部３の内部にアンテナの放射素子が配置される揚合に比べて、アンテナ特性の向上を図ることができる。
【００５９】
なお、上述では、回路部３３にグランド部３１が設けられ、第１の導電部３４はグランド部３１に電気的に接続されものとして説明したが、これに限られない。グランド部３１と第１の導電部３４とが同電位であれば良く、第１の導電部３４は、直接的にグランド部３１に接続されていなくても良い。
【００６０】
また、携帯電話装置１では、第２のケース部材４３は、表示部側筐体部３に対して相対移動可能に表示部側筐体部３に連結される構成であることが好ましい。具体的には、第２のケース部材４３は、図９に示すように、表示部側筐体部３のリアパネル３ｄ（ディスプレイ２１が配置されていない面）の上面であって、一方端側が表示部側筐体部３に相対移動が可能に連結されている。また、表示部側筐体部３と第２のケース部材４３とを連結する連結部材は、角度調整が可能な機構によって構成されている。したがって、第２のケース部材４３は、操作部側筐体部２の平面を基準として、所定の角度に調整することができる。
【００６１】
したがって、携帯電話装置１は、第２のケース部材４３を表示部側筐体部３に対して相対移動させることにより、外部に取り付けられたロッドアンテナのように、アンテナ特性の調整が可能となり、第２のケース部材４３の更なる有効活用を図ることができる。また、携帯電話装置１は、第２のケース部材４３が表示部側筐体部３を支持する支持部材としても機能させることができるので、例えば、机等の上に安定的に載置することができる。
【００６２】
また、携帯電話装置１では、第２のケース部材４３は、金属で形成されることが好ましい。したがって、携帯電話装置１は、第２のケース部材４３が金属で形成されることにより、表示部側筐体部３の強度の向上も併せて図ることができる。
【００６３】
また、携帯電話装置１では、第２のケース部材４３は、化粧ケースであることが好ましい。第２のケース部材４３は、例えば、図１０に示すように、意匠の異なるケース部材４３ａや、ケース部材４３ｂや、ケース部材４３ｃ等がある。したがって、ユーザは、好みや使用の用途に応じて第２のケース部材４３を適宜交換することができる。
【００６４】
このように構成されることにより、携帯電話装置１は、デザイン性の向上を目的として着脱可能に構成される化粧ケースが第１の導電部３４として利用されるため、第２のケース部材４３の有効活用を図ることができる。
【００６５】
＜第３の実施例＞
つぎに、第３の実施例について説明する。基本的な構成は、第２の実施例で説明した構成である。
本実施例では、図１１に示すように、第１の導電部３４（回路基板７０）は、操作部側筐体部２における操作面１６側に配置されている。また、第２の導電部３５は、第２のケース部材４３に形成されている。すなわち、第２の導電部３５は、表示部側筐体部３おける表示面１７と反対の面側（リアケース３ｃの外面１８側）に配置されている。
【００６６】
ここで、携帯電話装置１を操作する場合には、操作部側筐体部２がユーザによって把持されるが、このとき、操作部側筐体部２のリアケース２ｂ側は、ユーザの手によって覆われる。また、携帯電話装置１により音声通話を行う場合には、ユーザは、表示部側筐体部３の表示面１７側に耳を当てるので、表示部側筐体部３の表示面１７側がユーザの頭により覆われる。
そこで、本実施例では、第１の導電部３４を、ユーザの手（体）に覆われにくい操作面１６側に配置すると共に、第２の導電部３５を、ユーザの頭（体）に覆われにくい表示面１７と反対の面であるリアケース３ｃの外面１８側に配置した。
このように構成されることにより、携帯電話装置１は、第１の導電部３４及び第２の導電部３５を、携帯電話装置１の使用時にユーザの体から離れた位置に配置できる。よって、ユーザの体の存在に起因するアンテナ感度の低下を抑制できる。
【００６７】
なお、図１２に示すように、表示部側筐体部３に第２のケース部材４３が配置されていない携帯電話装置１の場合には、第２の導電部３５は、表示部側筐体部３に内蔵されている回路基板８０に形成されていても良い。この場合、回路基板８０は、表示部側筐体部３の内部におけるリアケースの外面１８側に配置されることが好ましい。
また、本実施例では、第１の導電部３４を給電部３２に接続し、第２の導電部３５をグランド部３１に接続したが、これに限らない。すなわち、第１の導電部３４をグランド部３１に接続し、第２の導電部３５を給電部３２に接続しても良い。この場合には、第２の導電部３５がアンテナの放射素子としての機能を発揮し、第１の導電部３４がアンテナのグランド部としての機能を発揮する。
【００６８】
＜第４の実施例＞
つぎに、第４の実施例について説明する。基本的な構成は、第２の実施例で説明した構成である。第２の導電部３５は、表示部側筐体部３に内蔵されている回路基板８０と、第２のケース部材４３とに形成されているものとする。また、携帯電話装置１は、図１３に示すように、第２のケース部材４３と給電部３２とが接続された接続状態、又は回路基板８０と給電部３２とが接続された接続状態を選択可能に構成された選択部としての切り替えスイッチ６４と、この切り替えスイッチ６４による接続状態の選択を制御する制御部６３とを備える。
【００６９】
また、操作部側筐体部２に内蔵されている回路基板７０は、グランド部３１に電気的に接続されてアンテナのグランド部としての機能を発揮する。また、第２のケース部材４３と回路基板８０とは、ともに切り替えスイッチ６４を介して給電部３２に電気的に接続されてアンテナの放射素子としての機能を発揮する。
【００７０】
ここで、制御部６３の動作について説明する。制御部６３は、第２のケース部材４３をアンテナの放射素子とするために切り替えスイッチ６４を制御して、第２のケース部材４３に係る第２の導電部３５を信号処理部３６に接続し、共振感度Ａを検出する。また、制御部６３は、回路基板８０をアンテナの放射素子とするために切り替えスイッチ６４を制御して、回路基板８０に係る第２の導電部３５を信号処理部３６に接続し、共振感度Ｂを検出する。制御部６３は、共振感度Ａと共振感度Ｂとを対比して、共振感度Ａが共振感度Ｂよりも高い場合には、第２のケース部材４３がアンテナの放射素子になるように切り替えスイッチ６４を制御し、共振感度Ａが共振感度Ｂよりも低い場合には、回路基板８０がアンテナの放射素子になるように切り替えスイッチ６４を制御する。なお、制御部６３は、共振感度Ａと共振感度Ｂの対比を所定時間間隔（例えば、所定の周期で行われる間欠受信を行う間隔）で実行する。
【００７１】
したがって、携帯電話装置１は、所定の周期で行われる間欠受信の際に制御部６３の制御が行われるので、本実施例に係る制御部６３の動作を実行するためだけに電力を供給する必要がなく、省電力化を図ることができる。また、携帯電話装置１は、所定の周期で制御が行われるため、アンテナ特性の低下を継続的に抑制することができる。
【００７２】
また、制御部６３は、共振感度ではなく、接触状態、温度変化若しくは光度変化に基づいて切り替えスイッチ６４を切り替える構成であっても良い。具体的には、携帯電話装置１は、接触状態、温度変化若しくは光度変化を検出する検出部（不図示）を備えている。
【００７３】
＜接触状態を検出＞
検出部は、ユーザによる接触を検出するために、表示部側筐体部３及び第２のケース部材４３の全体にタッチセンサの検出素子を配置し、当該検出素子によりユーザの接触を検出する。制御部６３は、検出部により第２のケース部材４３が接触されていると検出された場合には、回路基板８０がアンテナの放射素子になるように切り替えスイッチ６４を制御する。また、制御部６３は、検出部により表示部側筐体部３が接触されていると検出された場合には、第２のケース部材４３がアンテナの放射素子になるように切り替えスイッチ６４を制御する。
【００７４】
＜温度変化を検出＞
また、検出部は、ユーザによる接触を検出するために、表示部側筐体部３及び第２のケース部材４３の所定の部分（ユーザが接触しそうな部分）に温度センサの検出素子を配置し、当該検出素子により温度変化を検出する。制御部６３は、検出部により第２のケース部材４３が所定の温度範囲内の温度（例えば、３０℃〜４０℃）であると検出された場合には、回路基板８０がアンテナの放射素子になるように切り替えスイッチ６４を制御する。また、制御部６３は、検出部により表示部側筐体部３が所定の温度範囲内の温度（例えば、３０℃〜４０℃）であると検出された場合には、第２のケース部材４３がアンテナの放射素子になるように切り替えスイッチ６４を制御する。
【００７５】
＜光度変化を検出＞
また、検出部は、ユーザによる接触を検出するために、表示部側筐体部３及び第２のケース部材４３の所定の部分（ユーザが接触しそうな部分）に明るさを検出するセンサ（フォトセンサ）の検出素子を配置し、当該検出素子により光度変化を検出する。制御部６３は、検出部により第２のケース部材４３の周囲が所定の光度以下の光度であると検出された場合には、回路基板８０がアンテナの放射素子になるように切り替えスイッチ６４を制御する。また、制御部６３は、検出部により表示部側筐体部３の周囲が所定の光度以下の光度であると検出された場合には、第２のケース部材４３がアンテナの放射素子になるように切り替えスイッチ６４を制御する。
【００７６】
また、制御部６３は、携帯電話装置１の通話状態に基づいて切り替えスイッチ６４を切り替える構成であっても良い。この場合、制御部６３は、通常通話（使用者の耳を表示部側筐体部３の音声出力部２２に押し当てた状態での通話）のときには、第２のケース部材４３がアンテナの放射素子になるように切り替えスイッチ６４を制御する。
【００７７】
このようにして、携帯電話装置１では、接触状態、温度、光度又は通話状態に基づいてアンテナの放射素子を選択するため、ユーザの使用状態に応じたアンテナ特性の低下を抑制することができる。つまり、制御部６３は、表示部側筐体部３へのユーザ（人体）による接触状態に応じて、表示部側筐体部３におけるユーザによって接触された位置から離れた側に位置する部分がアンテナ素子として機能するように切り替えスイッチ６４を制御する。よって、人体の接触によりアンテナが受ける影響を低減できる。なお、携帯電話装置１は、タッチセンサと、温度センサと、フォトセンサとを複合的に利用する構成であっても良い。
【００７８】
また、制御部６３は、携帯電話装置１の機能に基づいて切り替えスイッチ６４を制御する構成であっても良い。この場合、制御部６３は、例えば、ワンセグ機能が起動されているときには、第２のケース部材４３がユーザによる接触を受けているとの推定に基づき、回路基板８０がアンテナの放射素子になるように切り替えスイッチ６４を制御する。
また、制御部６３は、イヤホンコネクタにケーブルが装着されていない状態で通話機能が起動されているときには、表示部側筐体部３がユーザによる接触を受けている（使用者の耳が表示部側筐体部３の音声出力部２２に押し当てられている）との推定に基づき、第２のケース部材４３がアンテナの放射素子になるように切り替えスイッチ６４を制御する。これにより、ユーザにより接触を受ける領域と、アンテナ素子として機能する第２の導電部３５とをできるだけ離間させることができ、アンテナ特性の低下を抑制することができる。
また、制御部６３は、例えば、携帯電話装置１が充電用の置き台に装着されているときには、第２のケース部材４３がアンテナの放射素子になるように切り替えスイッチ６４を制御するような構成としても良い。
【００７９】
＜他の実施例＞
また、携帯電話装置１は、図１４に示すように、信号処理部３６を含んで構成される回路部３３を表示部側筐体部３に配置し、表示部側筐体部３のみでアンテナの放射素子とグランド部を形成する構成であっても良い。当該構成の場合には、制御部６３は、適宜必要に応じて、回路基板８０をアンテナの放射素子になるように切り替え、第２のケース部材４３をアンテナのグランド部になるように切り替えたり、また、第２のケース部材４３をアンテナの放射素子になるように切り替え、回路基板８０をアンテナのグランド部に切り替えたりする。
【００８０】
このように構成することにより、操作部側筐体部２に高周波電流が流れ難くなるため、操作部側筐体部２をユーザの手等によって覆ってもアンテナ特性の劣化を回避することができる。
【図１】
2010061642.tif 000003
【図２】
2010061642.tif 000004
【図３】
2010061642.tif 000005
【図４】
2010061642.tif 000006
【図５】
2010061642.tif 000007
【図６】
2010061642.tif 000008
【図７】
2010061642.tif 000009
【図８】
2010061642.tif 000010
【図９】
2010061642.tif 000011
【図１０】
2010061642.tif 000012
【図１１】
2010061642.tif 000013
【図１２】
2010061642.tif 000014
【図１３】
2010061642.tif 000015
【図１４】
2010061642.tif 000016
【国際調査報告】
2010061642.tif 000017
2010061642.tif 000018
2010061642.tif 000019
2010061642.tif 000020